(57)【要約】【課題】手摺の位置や取付け腕の位置、本数の変更が簡単なエレベータのかご室手摺装置。【解決手段】エレベータのかご室手摺装置は、かご室壁面に長手方向移動可能に締結され、長手方向に延びた係合溝を持つ取付レールと、取付レールの係合溝の長手方向任意の位置に一対のフック状顎部で係合して取り付けられ、長手方向分割面に沿って分割され、互いにネジで結合されて開閉する第１および第２本体部を持つ取付腕と、取付腕の他端で一対のフック状顎部により長手方向任意の位置で係合されて取り付けられる手摺とを備えている。【効果】取付腕のネジを緩めると手摺および取付腕を移動できる。【選択図】図３
2011011902.tif 000002
【特許請求の範囲】
【請求項１】
エレベータのかご室壁面に固着される締結具と、
上記締結具によって上記かご室壁面に締結される取付レールと、
一端が上記取付レールの長手方向任意の位置で上記取付レールに取り付けられる取付腕と、
長手方向任意の位置で上記取付腕の他端に取り付けられる手摺とを備えていることを特徴とするエレベータのかご室手摺装置。
【請求項２】
上記締結具は上記かご室壁面から突出した係合頭部を持ち、
上記取付レールは、上記かご室壁面への取付面に、上記係合頭部に係合する長手方向に延びた締結具用係合溝を持っていることを特徴とする請求項１に記載のエレベータのかご室手摺装置。
【請求項３】
上記取付レールは、上記取付レールの両側面に、長手方向に延びた取付腕用係合溝を持ち、
上記取付腕は、腕本体と、上記腕本体の一端に設けられ、上記両側面から上記取付レールを挟んで上記取付腕用係合溝に係合して取り付けられる一対のフック状顎部を有する顎部とを備えたことを特徴とする請求項１あるいは２に記載のエレベータのかご室手摺装置。
【請求項４】
上記取付腕は、上記腕本体の上記他端に設けられ、上記手摺に係合して取り付けられる一対のフック状顎部を有する顎部とを備えたことを特徴とする請求項１〜３のいずれか一項に記載のエレベータのかご室手摺装置。
【請求項５】
上記手摺は、手摺本体と、上記手摺本体に設けられ、上記取付腕の上記他端に設けられた顎部に係合する係合溝部とを備えたことを特徴とする請求項１〜４のいずれか一項に記載のエレベータのかご室手摺装置。
【請求項６】
上記手摺の上記係合溝部は、上記手摺本体に対して連続した一体部品として設けられ、上記取付腕の上記他端に設けられた顎部に係合する係合溝を備えていることを特徴とする請求項５に記載のエレベータのかご室手摺装置。
【請求項７】
上記手摺の上記係合溝部は、上記手摺本体に嵌められて上記手摺本体に対して長手方向に移動できる締結帯に設けられていることを特徴とする請求項５に記載のエレベータのかご室手摺装置。
【請求項８】
上記締結帯は、開閉可能に互いに係合し合って協働して上記手摺に嵌合するリング状部材であることを特徴とする請求項７に記載のエレベータのかご室手摺装置。
【請求項９】
上記取付腕の上記腕本体は、長手方向に延びた分割線に沿って分割されて互いに結合されて一体となる第１本体部および第２本体部を備え、上記第１および第２本体部の一端に上記一対のフック状顎部の一方が設けられており、上記第１および第２本体部の他端に上記一対のフック状顎部の他方が設けられていることを特徴とする請求項３〜８のいずれか一項に記載のエレベータのかご室手摺装置。
【請求項１０】
上記腕本体の上記第１本体部および上記第２本体部は、互いに結合具で一体に結合されることを特徴とする請求項９に記載のエレベータのかご室手摺装置。
【発明の詳細な説明】
【技術分野】
【０００１】
この発明はエレベータのかご室手摺装置に関するものである。
【背景技術】
【０００２】
従来のエレベータのかご室手摺装置は、工場でかご室の壁に手摺取付け用の穴を加工しておき、また手摺にも壁の取付け穴に合う位置に手摺取付けブラケット（取付金具）を取付けておいて、この状態でエレベータの据付現地に出荷し、据付現地で昇降路内でかご室を組み立て、かご室に取付用の穴を利用してボルトおよびナットやクリップなどの締結具を使用して、手摺を取付るようにしてある（例えば特許文献１参照）。
【先行技術文献】
【特許文献】
【０００３】
【特許文献１】実開昭６０−３７７９号公報
【発明の概要】
【発明が解決しようとする課題】
【０００４】
このようなエレベータのかご室手摺装置においては、現場での手摺組立作業中に、手摺の取付けブラケットの穴とかご室の壁パネル手摺取付用の穴とが整合していないため、組立ができないことがわかる場合がある。このような場合には、手摺を作り直すことが必要になることさえあり、大変なロスと損害が発生する。また、大型のかご室において手摺が長くなる場合には、据付後検査すると強度が不足して、手摺取付けブラケットの本数を追加する必要が出る場合もあったが、据付現場での修正が困難であった。また、設計計画段階では良い筈であったブラケット間隔が、実際に出来上がって据付た場合に不都合なものとなってしまうことも起こるが、このような場合にも現場での修正が困難であった。さらに、操作盤を保守する場合に手摺が邪魔になる場合もあったが、簡単には取り外しができないため、そのような保守作業の妨げとなっていた。
【０００５】
従ってこの発明の目的は、上述の課題に鑑みて、手摺の取付腕の位置や数など組立現場で容易に変更できるエレベータのかご室手摺装置を提供することである。
【課題を解決するための手段】
【０００６】
この発明のエレベータのかご室手摺装置は、エレベータのかご室壁面に固着される締結具と、上記締結具によって上記かご室壁面に締結される取付レールと、一端が上記取付レールの長手方向任意の位置で上記取付レールに取り付けられる取付腕と、長手方向任意の位置で上記取付腕の他端に取り付けられる手摺とを備えていることを特徴とするものである。
【発明の効果】
【０００７】
この発明のエレベータのかご室手摺装置によれば、手摺取付け用の締結具を緩めて手摺装置の様々な調整を行い、取付現場での様々な変更に対応することができる。
【図面の簡単な説明】
【０００８】
【図１】この発明の実施形態１のエレベータのかご室手摺装置を適用したかご室を示す概略平面図である。
【図２】図１の線ＩＩ−ＩＩに沿ったエレベータのかご室手摺装置の断面詳細図である。
【図３】図１のエレベータのかご室手摺装置の斜視図である。
【図４】図３のエレベータのかご室手摺装置の分解斜視図である。
【図５】手摺とかご室袖壁の操作盤との関係を示す図である。
【図６】図５の操作盤の表板を外した状態の斜視図である。
【図７】この発明の実施の形態２のエレベータのかご室手摺装置の図２と同様な断面図である。
【図８】この発明の実施の形態３のエレベータのかご室手摺装置の図２と同様な断面図である。
【発明を実施するための形態】
【０００９】
以下、この発明の実施の形態について説明する。
【００１０】
実施の形態１．
図１〜６には、この発明のエレベータのかご室手摺装置の一実施形態を示してあり、図１において、エレベータのかご室１は、多数のパネルで構成されたかご室壁面２によって形成され、出入口３は袖壁４および三方枠５によって形成され、ドア６によって開閉される。この発明のエレベータのかご室手摺装置７は、かご室壁面２に固着された締結具８と、締結具８によってかご室壁面２に締結される取付レール９と、一端が取付レール９の長手方向任意の位置で取付レール９に取り付けられる取付腕１０と、長手方向任意の位置で取付腕１０の他端に取り付けられる手摺１１とを備えている。袖壁４にはかご操作盤１２が設けられている。
【００１１】
図２〜４に示すように、エレベータのかご室手摺装置７の締結具８は、かご室壁面２からかご室１内に向かって突出した係合頭部１３を持つ部材であって、図示の例では、かご室壁面２に形成されたボルト穴１４、プレート１５を貫通して、ワッシャ１６を介してナット１７が締結されたネジ部１８を持つボルトである。ボルトである締結具８の係合頭部１３には、取付レール９のかご室壁面２への取付面１９に形成されて長手方向に延びた締結具用係合溝２０が係合して取り付けられている。このように、取付レール９は、かご室壁面２に固着された締結具８の係合頭部１３と、全長に亘って延びた締結具用係合溝２０との係合によって取り付けられているので、締結具８を緩めると長手方向に移動させることができる。
【００１２】
取付レール９は、内側に締結具用係合溝２０を形成された断面形がほぼＣ字型の長い部材で、Ｃ字の開口のある面がかご室壁面２への取付面１９となっており、締結具用係合溝２０は、取付レール９の全長に亘って形成されていて、取付面１９に開いたスロット状の開口は幅が狭く、奥が幅広くなっている。従って取付面１９と広がった締結具用係合溝２０との間には、互いに離間して向き合って延びた内向きフランジ部２１が形成されている。また内向きフランジ部２１が外側に向かって側方に延長されて取付面１９の延長となった外向きフランジ部２２が形成されている。取付レール９にはまた、取付レール９の両側面２３に、外向きフランジ部２２に隣接して設けられて長手方向に延びた取付腕用係合溝２４を持っている。
【００１３】
取付腕１０は、腕本体２５と、腕本体２５の一端に設けられて、取付レール９を両側面から挟んで取付腕用係合溝２４に係合して取り付けられる一対のフック状顎部２６および２７を有する顎部２８とを備えている。取付腕１０はまた、腕本体２５の他端に設けられて、手摺１１に係合して取り付けられる一対のフック状顎部２９および３０を有する顎部３１とを備えている。
【００１４】
図示の例では、取付腕１０の腕本体２５は、腕本体２５の長手方向に延びた分割面３２に沿って上下に分割されてネジ等の結合具３３により互いに結合されて一体となる第１本体部３４および第２本体部３５を備えている。第１本体部３４は、一端すなわち取付レール側の端部に、フック状顎部２６を備えており、他端すなわち手摺側の端部にはフック状顎部２９を備えている。同様に第２本体部３５は、一端すなわち取付レール側の端部に、フック状顎部２７を備えており、他端すなわち手摺側の端部にはフック状顎部３０を備えている。換言すれば、第１本体部３４および第２本体部３５の一端すなわち取付レール側の端部には、顎部２８を構成する一対のフック状顎部２６および２７の一方が設けられており、他端には、顎部３１を構成する一対のフック状顎部２９および３０の他方が設けられていると言える。
【００１５】
第１本体部３４および第２本体部３５が結合具３３によって互いに締結されている状態では、顎部２８のフック状顎部２６および２７の先端が互いに向き合って内側に延びて取付レール９の取付腕用係合溝２４内に入り、取付レール９を掴んだ状態で強固に取付レール９に取り付けられている。結合具３３を緩めれば、顎部２８を開きあるいは緩めることができるので、取付レール９に対して着脱することができるだけでなく、取付腕１０を取付レール９に沿って摺動させたりすることができる。
【００１６】
取付腕１０の他端すなわち手摺側の端部の顎部３１には、手摺１１が取り付けられている。手摺１１は、手摺本体３６と、手摺本体３６に設けられ、取付腕１０の他端すなわち手摺側の端部に設けられた顎部３１に係合する係合溝部３７とを備えている。手摺１１の係合溝部３７は、手摺本体３６に嵌められて手摺本体３６に対して長手方向に移動できる締結帯３８に設けられているため、手摺１１は長手方向任意の位置で取付腕１０の他端すなわち顎部３１に取り付けられることができる。締結帯３８は全体としてリング状の部材であり、それぞれ一端に係合部３９を持ち他端に係合溝部３７をもち、互いに開閉可能に係合し合って、協働して手摺本体３６に嵌合する２つの弧状部材４０および４１で構成されている。係合溝部３７には、顎部３１のフック状顎部２９および３０にそれぞれ係合する係合溝４２および４３が設けられている。
【００１７】
第１本体部３４および第２本体部３５が結合具３３によって互いに締結されている状態では、顎部３１のフック状顎部２９および３０の先端が互いに向き合って内側に延びて係合溝部３７の係合溝４２および４３内に入り、手摺本体３６を囲んで掴んだ状態で強固に締結帯３８に取り付けられている。結合具３３を緩めれば、顎部３１を開きあるいは緩めることができるので、締結帯３８に対して着脱することができるだけでなく、締結帯３８を手摺本体３６に対して着脱したり移動させたりすることができる。
【００１８】
以上説明したように、この発明のエレベータのかご室手摺装置は、かご室壁面２に固着された締結具８と、締結具８によってかご室壁面２に締結される取付レール９と、一端が取付レール９の長手方向任意の位置で取付レール９に取り付けられる取付腕１０と、長手方向任意の位置で取付腕１０の他端に取り付けられる手摺１１とを備えている。このため取付腕１０は取付レール９すなわちかご室壁面２に対して任意の位置に取付腕１０を配置することができ、また手摺１１を任意の位置で支持することができる。さらに、手摺１１を取付レール９あるいは取付腕１０に対して摺動移動させることができる。
【００１９】
図５および６には、袖壁４に取り付けられているかご操作盤１２の表板４４を保守作業などのために外して開いた状態を示してある。このとき取付腕１０のネジなどの結合具３３を図４に示す工具４５を用いるなどして緩め、手摺本体３６を取付腕１０に対して、図５に想像線で示す位置から実線で示す位置に、長手方向にずらすことができる。必要に応じて手摺１１と取付腕１０とを共に取付レール９に対して移動させることもできる。手摺本体３６のこの位置では、表板４４の開閉が手摺本体３６によって妨げられることがなく、またかご操作盤１２へのアクセスも容易になる。図示の例では操作盤１２の表板４４は取り外す方式であるが、ヒンジで開閉可能とした方式や袖壁４ごと開けるタイプにおいても同様の効果が得られる。
【００２０】
実施の形態２．
図７に示すエレベータのかご室手摺装置７においては、手摺１１が、両側縁部がかご室壁面２の側に緩やかに湾曲して丸みのある縁部を有する帯状の板部材である手摺本体４６と、手摺本体４６に一体の連続した部分として設けられ、取付腕用係合溝４７を持つ係合溝部４８とを備えている。その他の構成は図１〜６に示すものと同様である。
【００２１】
このエレベータのかご室手摺装置７においては、手摺本体４６と係合溝部４８とを備えた手摺１１全体が一部品で作られているので、係合溝部４８が手摺本体４６に対して摺動することはない。このエレベータのかご室手摺装置７においても、図１〜６に関連して先に説明したものと同様の効果が得られる。
【００２２】
実施の形態３．
図８に示すエレベータのかご室手摺装置７においては、手摺１１の手摺本体４９が、両側縁部がかご室壁面２の側にほぼ直角に折り曲げられた縁部を有する帯状の板部材である。その他の構成は図７に示すものと同様である。このエレベータのかご室手摺装置７においても、図１〜６に関連して先に説明したものと同様の効果が得られる。
【００２３】
以上に図示して説明した装置は単なる例であって様々な変形が可能であり、またそれぞれの具体例の特徴を全てあるいは選択的に組み合わせて用いることもできる。
【産業上の利用可能性】
【００２４】
この発明はエレベータのかご室手摺装置に利用できるものである。
【符号の説明】
【００２５】
２  エレベータのかご室壁面、８  締結具、９  取付レール、１０  取付腕、１１  手摺、１３  係合頭部、１９  取付面、２０  締結具用係合溝、２４  取付腕用係合溝、２５  腕本体、２６、２７、２９、３０  フック状顎部、２８  顎部、３１  顎部、３６、４６、４９  手摺本体、３７、４８  係合溝部、３８  締結帯、３２  分割線、３４  第１本体部、３５  第２本体部、３３  結合具、４７  係合溝。
【図１】
2011011902.tif 000003
【図２】
2011011902.tif 000004
【図３】
2011011902.tif 000005
【図４】
2011011902.tif 000006
【図５】
2011011902.tif 000007
【図６】
2011011902.tif 000008
【図７】
2011011902.tif 000009
【図８】
2011011902.tif 000010